(57)【要約】【課題】従来技術においては、表示内容を見やすくすることが望まれている。【解決手段】実施形態の乗り場表示装置は、複数の表示部と、制御装置とを備える。複数の表示部は、エレベータの複数の乗りかごに対応して当該複数の乗りかごの乗り場に並べて設けられる。複数の表示部は、対応する前記乗りかごの運行状態を各々に表示可能である。制御装置は、前記複数の表示部を連携して、当該複数の表示部の並び方向に沿って、運行に関する情報をスクロール表示する制御を実行する。【選択図】図１
2012030909.tif 000002
【特許請求の範囲】
【請求項１】
エレベータの複数の乗りかごに対応して当該複数の乗りかごの乗り場に並べて設けられ、対応する前記乗りかごの運行状態を各々に表示可能である複数の表示部と、
前記複数の表示部を連携して、当該複数の表示部の並び方向に沿って、運行に関する情報をスクロール表示する制御を実行する制御装置とを備えることを特徴とする、
乗り場表示装置。
【請求項２】
前記制御装置は、前記複数の表示部間での前記スクロール表示の開始タイミングを連携して制御する、
請求項１に記載の乗り場表示装置。
【請求項３】
前記制御装置は、前記複数の表示部のうちの一方の端の前記表示部から前記スクロール表示を開始し、他の前記表示部の前記スクロール表示の開始タイミングにタイムラグを設ける、
請求項１又は請求項２に記載の乗り場表示装置。
【請求項４】
前記制御装置は、前記複数の表示部のうちの１つの前記表示部で前記情報をスクロール表示し、他の前記表示部で前記情報を表示しないモードを有する、
請求項１乃至請求項３のいずれか１項に記載の乗り場表示装置。
【請求項５】
前記複数の表示部は、前記複数の乗りかごの呼び登録を共通で受け付ける前記乗り場の乗り場操作盤に設けられる、
請求項１乃至請求項４のいずれか１項に記載の乗り場表示装置。
【請求項６】
複数の昇降路をそれぞれ昇降可能な複数の乗りかごと、
前記複数の乗りかごに対応して当該複数の乗りかごの乗り場に並べて設けられ、対応する前記乗りかごの運行状態を各々に表示可能である複数の表示部と、前記複数の表示部を連携して、当該複数の表示部の並び方向に沿って、運行に関する情報をスクロール表示する制御を実行する制御装置とを有する乗り場表示装置とを備えることを特徴とする、
エレベータ。
【発明の詳細な説明】
【技術分野】
【０００１】
本発明の実施形態は、乗り場表示装置及びエレベータに関する。
【背景技術】
【０００２】
従来、エレベータにおいて、例えば、複数台の乗りかごで運行サービスを行うエレベータに適用される乗り場表示装置が知られている。
【先行技術文献】
【特許文献】
【０００３】
【特許文献１】特開２００６−１６８９１５号公報
【発明の概要】
【発明が解決しようとする課題】
【０００４】
ところで、従来技術においては、表示内容を見やすくすることが望まれている。
【課題を解決するための手段】
【０００５】
実施形態の乗り場表示装置は、複数の表示部と、制御装置とを備える。複数の表示部は、エレベータの複数の乗りかごに対応して当該複数の乗りかごの乗り場に並べて設けられる。複数の表示部は、対応する前記乗りかごの運行状態を各々に表示可能である。制御装置は、前記複数の表示部を連携して、当該複数の表示部の並び方向に沿って、運行に関する情報をスクロール表示する制御を実行する。
【図面の簡単な説明】
【０００６】
【図１】図１は、実施形態に係る乗り場表示装置の概略構成例を示すブロック図である。
【図２】図２は、実施形態に係る乗り場操作盤の正面図である。
【図３】図３は、実施形態に係る乗り場表示装置が適用されるエレベータの概略構成例を示す模式的構成図である。
【図４】図４は、実施形態に係る乗り場表示装置の動作を説明する図である。
【図５】図５は、実施形態に係る乗り場表示装置の動作を説明する図である。
【図６】図６は、実施形態に係る乗り場表示装置の動作を説明する図である。
【図７】図７は、実施形態に係る乗り場表示装置の動作を説明する図である。
【図８】図８は、実施形態に係る乗り場表示装置の動作を説明する図である。
【図９】図９は、実施形態に係る乗り場表示装置の動作を説明する図である。
【発明を実施するための形態】
【０００７】
［実施形態１］
図１は、実施形態に係る乗り場表示装置の概略構成例を示すブロック図、図２は、実施形態に係る乗り場操作盤の正面図、図３は、実施形態に係る乗り場表示装置が適用されるエレベータの概略構成例を示す模式的構成図、図４乃至図９は、実施形態に係る乗り場表示装置の動作を説明する図である。
【０００８】
図１、図２に示す本実施形態の乗り場表示装置１は、図３に示すように、複数の昇降路３Ａ、３Ｂをそれぞれ昇降可能な複数の乗りかご４Ａ、４Ｂで運行サービスを行うエレベータ２に適用され、例えば、各乗りかご４Ａ、４Ｂの運行状態等を表示するものである。なお、以下の説明では、複数号機からなるエレベータ２は、２台の乗りかご４Ａ、４Ｂを備えるものとして説明するが、これに限らず、３台以上を備えていてもよい。また、以下の説明では、特に断りのない限り、２台の乗りかご４Ａ、４Ｂ等を区別せずに説明する。
【０００９】
エレベータ２は、図３に示すように、乗り場表示装置１と共に、２つの昇降路３Ａ、３Ｂと、これに対応する２つの乗りかご４Ａ、４Ｂと、２つのメインロープ５Ａ、５Ｂと、２つの巻上機６Ａ、６Ｂと、２つのカウンタウェイト７Ａ、７Ｂと、乗り場８と、２つのエレベータ制御装置９Ａ、９Ｂとを含んで構成される。
【００１０】
昇降路３Ａ、３Ｂは、建造物の鉛直方向に沿って設けられる。乗りかご４Ａ、４Ｂは、メインロープ５Ａ、５Ｂが接続され昇降路３Ａ、３Ｂ内に配置され、この昇降路３Ａ、３Ｂを昇降可能である。メインロープ５Ａ、５Ｂは、昇降路３Ａ、３Ｂの上部に設けられ巻上機６Ａ、６Ｂに掛けられて、一端に乗りかご４Ａ、４Ｂが連結され、他端に乗りかご４Ａ、４Ｂのつり合いおもりであるカウンタウェイト７Ａ、７Ｂが連結される。乗り場８は、乗りかご４Ａ、４Ｂが着床可能なエレベータ停止階床に設けられ、利用者が乗りかご４Ａ、４Ｂに対して乗降したり、荷物を乗りかご４Ａ、４Ｂに対して積み下ろしたりするための場所である。 図３では、１階床分の乗り場８を示す。
【００１１】
乗りかご４Ａ、４Ｂは、かご操作盤１０Ａ、１０Ｂが設けられ、乗り場８は、乗り場操作盤１１が設けられる。かご操作盤１０Ａ、１０Ｂ、乗り場操作盤１１は、利用者による操作入力に応じていわゆる乗りかご４Ａ、４Ｂの呼び登録等を行うものである。かご操作盤１０Ａ、１０Ｂは、それぞれ乗りかご４Ａ、４Ｂに１つずつ設けられ、すなわち、かご操作盤１０Ａが乗りかご４Ａに設けられ、かご操作盤１０Ｂが乗りかご４Ｂに設けられる。一方、乗り場操作盤１１は、複数の乗りかご４Ａ、４Ｂの呼び登録を共通で受け付けるものであり、ここでは隣り合う乗りかご４Ａと乗りかご４Ｂとで共通に使用される。かご操作盤１０Ａ、１０Ｂ、乗り場操作盤１１は、利用者の操作入力に応じて乗りかご４Ａ、４Ｂの呼び登録信号等をエレベータ制御装置９Ａ、９Ｂに送信する。
【００１２】
エレベータ制御装置９Ａ、９Ｂは、通常の形式の双方向コモン・バスにより相互に連結されたＣＰＵ（中央演算処理装置）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、予め用意されたマップデータ、エレベータ２の仕様等の情報を記憶するバックアップＲＡＭ及び入出力ポート装置を有するマイクロコンピュータ及び駆動回路を備えている。
【００１３】
エレベータ制御装置９Ａ、９Ｂは、種々のセンサ、検出器や巻上機６Ａ、６Ｂ、かご操作盤１０Ａ、１０Ｂ、乗り場操作盤１１等のエレベータ２の各部と電気的に接続され各部を制御する。エレベータ制御装置９Ａ、９Ｂは、例えば、かご操作盤１０Ａ、１０Ｂ、乗り場操作盤１１への利用者からの操作入力に応じて、巻上機６Ａ、６Ｂの駆動を制御し、乗りかご４Ａ、４Ｂを呼び登録に応じた指定の目的階に移動させる。また、エレベータ制御装置９Ａとエレベータ制御装置９Ｂとは、互いに接続されており、相互に信号、指令、情報等の通信、授受を行うことができる。
【００１４】
上記のように構成されるエレベータ２は、利用者によりかご操作盤１０Ａ、１０Ｂ、乗り場操作盤１１等を介してかご呼び操作が行われた場合に、この呼び登録や乗りかご４Ａ、４Ｂの現在の移動方向（昇降方向）に基づいて、巻上機６Ａ、６Ｂが駆動する。これにより、エレベータ２は、巻上機６Ａ、６Ｂがメインロープ５Ａ、５Ｂを巻き上げることで、乗りかご４Ａ、４Ｂが昇降路３Ａ、３Ｂ内を鉛直方向上下に昇降移動し、任意の目的階の乗り場に移動する。この間、エレベータ２は、例えば、乗り場操作盤１１等から入力される呼び登録信号がエレベータ制御装置９Ａとエレベータ制御装置９Ｂとの双方に入力され、乗りかご４Ａと乗りかご４Ｂとで応答を分担し、効率な運行サービスを行う。エレベータ制御装置９Ａ、９Ｂは、呼び登録信号や乗りかご４Ａ、４Ｂの現在の移動方向に基づいて、乗りかご４Ａと乗りかご４Ｂとの運行を効率的に割り振る。
【００１５】
ところで、本実施形態の乗り場表示装置１は、図１、図２に示すように、複数の乗りかご４Ａ、４Ｂに対応して乗り場８に並べて設けられる複数の表示部１２Ａ、１２Ｂとを備え、運行に関する種々の情報をスクロール表示する際に、この複数の表示部１２Ａ、１２Ｂを連携して情報をスクロール表示することで、表示内容を見やすくしている。
【００１６】
具体的には、乗り場表示装置１は、図１、図２に示すように、２台の乗りかご４Ａ、４Ｂに対応して２つの表示部１２Ａ、１２Ｂと、制御装置１３とを備える。
【００１７】
複数の表示部１２Ａ、１２Ｂは、複数の乗りかご４Ａ、４Ｂに対応して乗り場８に並べて設けられる。ここでは、複数の表示部１２Ａ、１２Ｂは、図２に示すように、水平方向に沿って近接して並べて設けられる。複数の表示部１２Ａ、１２Ｂは、対応する乗りかご４Ａ、４Ｂの運行状態を各々に表示可能である。複数の表示部１２Ａ、１２Ｂは、例えば、ＬＥＤを用いたドット表示器や液晶を用いた液晶表示器等によって構成される。
【００１８】
複数の表示部１２Ａ、１２Ｂは、上述した乗り場操作盤１１に設けられる。乗り場操作盤１１は、利用者が乗り場呼びを行うための共通の呼びボタン１４、１５と共に、この複数の表示部１２Ａ、１２Ｂが組み込まれて構成される、いわゆる２カー１ライザー乗り場操作盤である。つまり、乗り場操作盤１１は、複数の乗りかご４Ａ、４Ｂに対して１組の呼びボタン１４、１５と、複数の表示部１２Ａ、１２Ｂとを備えている。
【００１９】
呼びボタン１４、１５は、利用者からの操作を受け付ける操作部であり、複数の乗りかご４Ａ、４Ｂの呼び登録を共通で受け付ける。呼びボタン１４は、利用者が上階へ移動する際に操作するアップ呼び登録用のボタンであり、呼びボタン１５は、利用者が下階へ移動する際に操作するダウン呼び登録用のボタンである。複数の表示部１２Ａ、１２Ｂは、この呼びボタン１４、１５に隣接して設けられ、ここでは、呼びボタン１４、１５の鉛直方向上側に組み込まれる。複数の表示部１２Ａ、１２Ｂは、通常、各号機に対応し、それぞれの動きを別々に表示する。
【００２０】
制御装置１３は、図１に示すように、上述したエレベータ制御装置９Ａ、９Ｂと共に、乗り場制御装置１６Ａ、１６Ｂを含んで構成される。乗り場制御装置１６Ａ、１６Ｂは、エレベータ制御装置９Ａ、９Ｂと同様にマイクロコンピュータ及び駆動回路を備えている。乗り場制御装置１６Ａは、表示部１２Ａ、エレベータ制御装置９Ａ等に接続され、表示部１２Ａ、エレベータ制御装置９Ａとの間で相互に信号、指令、情報等の通信、授受を行うことができる。乗り場制御装置１６Ｂは、表示部１２Ｂ、エレベータ制御装置９Ｂ等に接続され、表示部１２Ｂ、エレベータ制御装置９Ｂとの間で相互に信号、指令、情報等の通信、授受を行うことができる。さらに、乗り場制御装置１６Ａと乗り場制御装置１６Ｂとは、互いに接続されており、相互に信号、指令、情報等の通信、授受を行うことができる。また、乗り場制御装置１６Ａ、乗り場制御装置１６Ｂは、呼びボタン１４、１５が電気的に接続されている。
【００２１】
なお、乗り場表示装置１の制御装置１３は、エレベータ制御装置９Ａ、９Ｂを含まずにこれらとは別個に構成され、エレベータ制御装置９Ａ、９Ｂと電気的に接続され、相互に検出信号や駆動信号、制御指令等の情報の通信、授受を行う構成としてもよいし、エレベータ制御装置９Ａ、９Ｂ及び乗り場制御装置１６Ａ、１６Ｂが全て一体で構成されるものであってもよい。
【００２２】
乗り場制御装置１６Ａ、１６Ｂは、例えば、表示部１２Ａ、１２Ｂを制御可能であると共に、呼びボタン１４、１５への入力に応じて呼び登録を行い、呼び登録信号をエレベータ制御装置９Ａ、９Ｂに入力する。
【００２３】
各表示部１２Ａ、１２Ｂは、乗り場制御装置１６Ａ、１６Ｂによる制御のもとで、例えば、各乗りかご４Ａ、４Ｂが位置する現在の階床（乗りかごの現在の位置）や各乗りかご４Ａ、４Ｂの現在の移動方向を表示する。例えば、乗り場制御装置１６Ａ、１６Ｂは、通常、エレベータ制御装置９Ａ、９Ｂから乗りかご４Ａ、４Ｂが位置している現在の階床信号や移動方向信号等を逐次受信し、当該信号に応じて、逐次、表示部１２Ａ、１２Ｂに現在の階床情報、移動方向情報を出力し表示する。
【００２４】
表示部１２Ａ、１２Ｂは、例えば、図２に例示するように、表示領域における鉛直方向下部の領域に、乗りかご４Ａ、４Ｂが位置する現在の階床を表示する階床表示部を有する。また、表示部１２Ａ、１２Ｂは、表示領域における鉛直方向上部の領域、すなわち、階床表示部の上側の領域に、乗りかご４Ａ、４Ｂの移動方向を表示する移動方向表示部を有している。
【００２５】
ここで、複数の表示部１２Ａ、１２Ｂは、限られた表示領域において、「満員のため○号機がまいります」や「満員のため降車完了後に直行します」等の文章による情報を表示するために、状況に応じてスクロール表示を行う。複数の表示部１２Ａ、１２Ｂは、乗り場制御装置１６Ａ、１６Ｂによる制御のもとで、例えば、図２に例示するスクロール表示領域１７に、状況に応じて運行に関する種々の情報をスクロール表示する。
【００２６】
ここでのスクロール表示領域１７は、表示部１２Ａ、１２Ｂの表示領域における上記階床表示部である。表示部１２Ａ、１２Ｂは、例えば、ＬＥＤドットを縦、横に複数列配列したスクロール表示領域１７に文字をスクロールさせながら文章情報の表示を行う。
【００２７】
乗り場制御装置１６Ａ、１６Ｂは、例えば、スキャニング点灯方式等の種々の制御により表示部１２Ａ、１２Ｂをスクロール制御すればよい。乗り場制御装置１６Ａ、１６Ｂは、例えば、表示部１２Ａ、１２ＢのＬＥＤ横列において、端から電圧をＯＮ−ＯＦＦ制御しながら列を順次シフトしていき、シフトごとにＬＥＤ縦列で必要な位置のドットに電流を流してＬＥＤを瞬時点灯させる。この場合、乗り場制御装置１６Ａ、１６Ｂは、例えば、瞬時に点灯する時間と点灯周期を可変とすることで、ＬＥＤの輝度を任意に設定できる。乗り場制御装置１６Ａ、１６Ｂは、表示部１２Ａ、１２Ｂのスクロール制御として、例えば、スキャニング点灯を基本に、横列の点灯を順次右もしくは左にシフトさせる制御を行うことで、文字列を右から左、あるいは、左から右へと順次シフトしてスクロール表示させることができる。
【００２８】
そして、本実施形態の制御装置１３は、複数の表示部１２Ａ、１２Ｂを連携して、この複数の表示部１２Ａ、１２Ｂの並び方向、ここでは水平方向に沿って、運行に関する情報をスクロール表示する制御を実行する。言い換えれば、制御装置１３は、運行に関する情報をスクロール表示する際には、複数の表示部１２Ａ、１２Ｂを１つの表示部のように扱って、表示部１２Ａと表示部１２Ｂとが連動、連係してスクロール表示を行う。
【００２９】
本実施形態の制御装置１３は、複数の表示部１２Ａ、１２Ｂ間でのスクロール表示の開始タイミングを連携して制御することで、複数の表示部１２Ａ、１２Ｂを連携して、運行に関する１つの文章情報をスクロール表示する制御を実行する。ここでは、制御装置１３は、複数の表示部１２Ａ、１２Ｂのうちの並び方向の一方の端の表示部、例えば、表示部１２Ｂからスクロール表示を開始し、他の表示部１２Ａのスクロール表示の開始タイミングにタイムラグを設ける。
【００３０】
具体的には、エレベータ制御装置９Ａ、９Ｂは、例えば、現在の運行状態を表示するためにスクロール表示による文章情報の表示が必要な場合に、スクロール制御を実行させるためのスクロール指令信号を乗り場制御装置１６Ａ、１６Ｂに送信する。スクロール表示による文章情報の表示が必要な場合としては、例えば、乗りかご４Ａ又は乗りかご４Ｂの一方、あるいは、両方が満員、整備中、休止中等である場合、緊急時である場合など、種々の場合が考えられる。
【００３１】
ここでは、エレベータ制御装置９Ａ、９Ｂは、種々のセンサ、検出器による検出結果に応じて、少なくとも乗りかご４Ａ又は乗りかご４Ｂの一方の運行状態が文章情報の表示が必要な状況であることを検知すると、それぞれの表示部１２Ａ、１２Ｂでのスクロール表示の開始タイミングを設定する。このとき、エレベータ制御装置９Ａ、９Ｂは、相互に信号、指令、情報等の通信、授受を行い、表示部１２Ａのスクロール表示の開始タイミングと、表示部１２Ｂのスクロール表示の開始タイミングとに所定のタイムラグを設定する。そして、エレベータ制御装置９Ａ、９Ｂは、表示する文字列情報、設定した開始タイミング情報等と共にスクロール指令信号をそれぞれの乗り場制御装置１６Ａ、１６Ｂに送信する。
【００３２】
乗り場制御装置１６Ａ、１６Ｂは、それぞれ対応するエレベータ制御装置９Ａ、９Ｂからのスクロール指令信号を受信すると、各表示部１２Ａ、１２Ｂを連携して、運行に関する情報をスクロール表示する制御を実行する。例えば、制御装置１３は、乗り場制御装置１６Ｂによる制御のもとで、表示部１２Ｂにスクロール指令信号を送信し、これに応じて表示部１２Ｂがスクロール表示を開始する。そして、制御装置１３は、乗り場制御装置１６Ａによる制御のもとで、乗り場制御装置１６Ｂから表示部１２Ｂへスクロール指令信号が送信されスクロール表示が開始されたタイミングに対して、所定のタイムラグを設けて、表示部１２Ａにスクロール指令信号を送信し、これに応じて表示部１２Ａがスクロール表示を開始する。
【００３３】
一例として、表示部１２Ｂと連動して表示部１２Ａがスクロール表示を開始するタイミングは、エレベータ制御装置９Ｂが乗り場制御装置１６Ｂを介して表示部１２Ｂ側に最終文字列情報を出力した旨の信号をエレベータ制御装置９Ａとエレベータ制御装置９Ｂと間で授受し、これに応じてエレベータ制御装置９Ａが乗り場制御装置１６Ａを介して表示部１２Ａ側に対してスクロール指令信号（開始信号）を送信することで設定される。表示部１２Ａは、このスクロール指令信号を受信した後に、表示部１２Ｂで表示している内容と同じ内容の文字列を続けて表示する。例えば、文章情報の表示を３００ｍｓ／列の速度でスクロールさせる場合、表示部１２Ｂのスクロール表示の開始から約３ｓ後に表示部１２Ａに対してスクロール指令信号を制御装置間通信で送信することになる。このとき、より詳細には、エレベータ制御装置９Ａとエレベータ制御装置９Ｂとの間での信号の授受、エレベータ制御装置９Ａから乗り場制御装置１６Ａまでの通信タイムラグ等を予めデータとして保有し、これに応じて、例えば、３ｓより数百ｍｓ早い時間で表示部１２Ａに対してスクロール指令信号を送信するとよい。これにより、乗り場表示装置１は、各表示部１２Ａ、１２Ｂを連携して、運行に関する１つの情報をスクロール表示することができる。
【００３４】
乗り場表示装置１は、例えば、図４から図９に順を追って例示するように、まず表示部１２Ｂにて文字列、ここでは、「Ａ、Ｂ、Ｃ、・・・」が向かって右側から順次出力され、この表示部１２Ｂにて文章情報がスクロール表示される。そして、乗り場表示装置１は、表示部１２Ｂのスクロール表示の開始から所定のタイムラグが経過した後に、表示部１２Ａにて、表示部１２Ｂでスクロール表示した文字列と同じ内容の文字列が向かって右側から順次出力され、この表示部１２Ａにて文章情報がスクロール表示される。この結果、乗り場表示装置１は、複数の表示部１２Ａ、１２Ｂのスクロール表示領域１７の部分が１つの表示部のように機能し、表示部１２Ａと表示部１２Ｂとが連携して、運行に関する１つの文章情報をスクロール表示領域１７でスクロール表示することができる。
【００３５】
なお、図４から図９では、複数の表示部１２Ａ、１２Ｂが連携して表示する文章情報として便宜的に「Ａ、Ｂ、Ｃ、・・・」の文字列としているが、実際には例えば、「満員のため○号機がまいります」、「満員のため降車完了後に直行します」、あるいは、「緊急停止しました」等のエレベータ２の運行に関する文章情報が複数の表示部１２Ａ、１２Ｂによって連携して表示される。
【００３６】
上記のように構成される乗り場表示装置１は、エレベータ２の複数の乗りかご４Ａ、４Ｂに対応してこの複数の乗りかご４Ａ、４Ｂの乗り場８に並べて設けられ、対応する乗りかご４Ａ、４Ｂの運行状態を各々に表示可能である複数の表示部１２Ａ、１２Ｂと、複数の表示部１２Ａ、１２Ｂを連携して、この複数の表示部１２Ａ、１２Ｂの並び方向に沿って、運行に関する情報をスクロール表示する制御を実行する制御装置１３とを備える。上記のように構成されるエレベータ２は、複数の昇降路３Ａ、３Ｂをそれぞれ昇降可能な複数の乗りかご４Ａ、４Ｂと、上記乗り場表示装置１とを備える。
【００３７】
したがって、乗り場表示装置１、エレベータ２は、複数の表示部１２Ａ、１２Ｂを連携して運行に関する情報をスクロール表示することで、限られた表示領域内で、文章情報等の視認性を向上し、表示部１２Ａ、１２Ｂの表示内容を見やすくすることができる。本実施形態のように複数の表示部１２Ａ、１２Ｂを近接して並べて設けた場合、例えば、各表示部１２Ａ、１２Ｂで同時に独立して運行に関する情報をスクロール表示すると、それぞれが階床表示部に同じスクロール表示を一斉に行うこととなり、視覚的にわかりづらく、それぞれの文章情報の視認性が相対的に低下する傾向にある。しかしながら、この乗り場表示装置１、エレベータ２は、上記のように複数の表示部１２Ａ、１２Ｂを連携して運行に関する情報をスクロール表示することで、表示部１２Ａ、１２Ｂの表示内容を見やすくすることができ、この結果、利用者に的確に情報を伝達することができる。
【００３８】
なお、以上で説明した制御装置１３は、複数の表示部１２Ａ、１２Ｂのうちの１つの表示部、例えば、表示部１２Ｂで情報をスクロール表示し、他の表示部１２Ａで情報を表示しないモードを有し、状況に応じてこのモードを使い分けるようにしてもよい。この場合、制御装置１３は、例えば、エレベータ制御装置９Ｂが乗り場制御装置１６Ｂを介して表示部１２Ｂ側にスクロール指令信号を送信した際、エレベータ制御装置９Ｂがエレベータ制御装置９Ａに表示取消信号を送信し、これに応じてエレベータ制御装置９Ａが乗り場制御装置１６Ａを介して表示部１２Ａ側に表示取消信号を送信し、表示部１２Ａでの情報の表示を取り消す。
【００３９】
これにより、乗り場表示装置１、エレベータ２は、状況に応じて、各表示部１２Ａ、１２Ｂで同時に独立してスクロール表示が行われること自体を防止することができ、それぞれが階床表示部に同じスクロール表示を一斉に行うことを防止することができるので、表示部１２Ａ、１２Ｂの表示内容を見やすくすることができる。
【００４０】
また、制御装置１３は、例えば、乗り場制御装置１６Ａ、１６Ｂが相互に信号、指令、情報等の通信、授受を行い、表示部１２Ａのスクロール表示の開始タイミングと、表示部１２Ｂのスクロール表示の開始タイミングとに所定のタイムラグを設定する構成であってもよい。この場合、例えば、エレベータ制御装置９Ａ、９Ｂは、種々のセンサ、検出器による検出結果に応じて、少なくとも乗りかご４Ａ又は乗りかご４Ｂの一方の運行状態が文章情報の表示が必要な状況であることを検知すると、エレベータ制御装置９Ｂが乗り場制御装置１６Ｂを介して表示部１２Ｂ側にスクロール指令信号を送信する。制御装置１３は、乗り場制御装置１６Ｂによる制御のもとで、表示部１２Ｂにスクロール指令信号を送信し、これに応じて表示部１２Ｂがスクロール表示を開始する。
【００４１】
そして、制御装置１３は、乗り場制御装置１６Ａと乗り場制御装置１６Ｂとが相互に信号、指令、情報等の通信、授受を行い、乗り場制御装置１６Ａ自体が表示部１２Ｂのスクロール表示の開始タイミングに対して所定のタイムラグを設けて表示部１２Ａのスクロール表示の開始タイミングを設定する。制御装置１３は、乗り場制御装置１６Ａによる制御のもとで、乗り場制御装置１６Ｂから表示部１２Ｂへスクロール指令信号が送信されスクロール表示が開始されたタイミングに対して、所定のタイムラグを設けて、表示部１２Ａにスクロール指令信号を送信し、これに応じて表示部１２Ａがスクロール表示を開始する。つまりこの例では、表示部１２Ｂと連動して表示部１２Ａがスクロール表示を開始するタイミングは、乗り場制御装置１６Ｂが表示部１２Ｂ側に最終文字列情報を出力した旨の信号を乗り場制御装置１６Ａと乗り場制御装置１６Ｂと間で授受し、これに応じて乗り場制御装置１６Ａが所定のタイムラグを設けて表示部１２Ａ側に対してスクロール指令信号（開始信号）を送信することで設定される。
【００４２】
この場合、乗り場表示装置１、エレベータ２は、表示部１２Ａと表示部１２Ｂとを連携して、運行に関する種々の情報をスクロール表示する際の連携タイミングの精度を向上することができ、エレベータ制御装置９Ａ、９Ｂ側でのタイミング制御を不要とすることができる。
【００４３】
以上で説明した実施形態に係る乗り場表示装置１、エレベータ２によれば、表示部１２Ａ、１２Ｂの表示情報の視認性を向上し、表示部１２Ａ、１２Ｂの表示内容を見やすくすることができる。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１    乗り場表示装置
２    エレベータ
３Ａ、３Ｂ    昇降路
４Ａ，４Ｂ    乗りかご
５Ａ、５Ｂ    メインロープ
６Ａ、６Ｂ    巻上機
７Ａ、７Ｂ    カウンタウェイト
８    乗り場
９Ａ、９Ｂ    エレベータ制御装置
１０Ａ、１０Ｂ    かご操作盤
１１    乗り場操作盤
１２Ａ、１２Ｂ    表示部
１３    制御装置
１４、１５    呼びボタン
１６Ａ、１６Ｂ    乗り場制御装置
１７    スクロール表示領域
【図１】
2012030909.tif 000003
【図２】
2012030909.tif 000004
【図３】
2012030909.tif 000005
【図４】
2012030909.tif 000006
【図５】
2012030909.tif 000007
【図６】
2012030909.tif 000008
【図７】
2012030909.tif 000009
【図８】
2012030909.tif 000010
【図９】
2012030909.tif 000011